(57)【要約】【課題】画面上に表示された図表部位の一部分に係わる技術情報の各種データだけを同一画面上に表示できて、分析作業を能率的に行える共に分析結果の信頼性を向上させ得る技術情報分析表示装置を提供する。【解決手段】表示手段の画面上に表示された図表の所定部位を入力手段の操作で指定した際に、制御手段により、指定された図表部位に係わる技術情報の各種データが当該画面上に表示されることを特徴とする。入力手段の操作は、例えばマウスのクリック操作で行われ、技術情報としては特許情報が使用される。【選択図】  図６
2004192450.tif 000002
【特許請求の範囲】
【請求項１】
入力手段と表示手段及び制御手段を備え、入力手段で入力された条件に基づいて制御手段によって技術情報記憶媒体からデータを抽出して図表化すると共に、その図表を表示手段の画面上に表示する技術情報分析表示装置であって、
前記制御手段は、表示手段の画面上に表示された図表の所定部位を入力手段の操作で指定した際に、該指定された図表部位に係わる技術情報の各種データを当該画面上に表示させることを特徴とする技術情報分析表示装置。
【請求項２】
前記入力手段の操作がマウスのクリック操作で行われ、該クリック操作により当該図表部位に係わる技術情報の各種データのうち少なくとも技術情報リストが表示されることを特徴とする請求項１に記載の技術情報分析表示装置。
【請求項３】
前記技術情報が特許情報であり、前記図表が特許マップであることを特徴とする請求項１または２に記載の技術情報分析表示装置。
【発明の詳細な説明】
【０００１】
【発明の属する技術分野】
本発明は、特許情報等のような技術情報群の中から、例えば検索式によって対象技術情報を抽出すると共に該技術情報を分析し、その分析結果を画面上に図表として表示し得る技術情報分析表示装置に関する。
【０００２】
【従来の技術】
特許庁から発行される特許情報としてのＣＤ−ＲＯＭ特許公報には、一般的な書誌的事項や要約、特許請求の範囲、明細書の発明の詳細な説明等の文章情報からなる技術情報が掲載されて、これらがキーワード等の指定項目に基づいて機械検索できるように構成されている。そして、このＣＤーＲＯＭ特許公報に掲載されている技術動向等を分析するために、特許情報の母集団から所定の検索式に基づいて対象特許情報を抽出し、この抽出した対象特許情報に基づき特許マップを作成して画面上に表示する特許情報分析表示装置が使用されている。
【０００３】
従来、この特許情報分析表示装置としては、例えば特許文献１、特許文献２あるいは特許文献３に開示されている。これらの特許文献１〜３はいずれも、特許情報の母集団から対象特許情報（データ）を抽出・集計すると共に集計結果からリストを作成し、このリストに基づいて図表を作成（図表化）するというプロセスによって特許マップを自動的に作成している。
【０００４】
【特許文献１】
特開平６−２３１１４１号公報
【特許文献２】
特開平８−２２１４３５号公報
【特許文献３】
特開２００２−１７５３１４号公報
【０００５】
【発明が解決しようとする課題】
しかしながら、このような特許情報分析表示装置においては、データの集計からリスト作成及び図表化までが、装置内のＣＰＵやＲＯＭ等によって自動的に行われている。このため、画面上に特許マップを表示させた後、再びリストに戻る場合、その特許マップ全図に対応した全リストへ戻ることになり、特許マップの一部分について基礎データとなるリスト等を画面上に表示させることができない。その結果、例えば分析者が画面上で特許マップの所定の図表部位に問題意識や関心を持っても、当該部位に係わる部分だけの特許情報の各種データ等を同一画面上で確認することが困難で、特許情報の分析作業の能率や信頼性の面で劣るという問題点を有している。
【０００６】
本発明は、このような事情に鑑みてなされたもので、その目的は、画面上に表示された部分的な図表部位に係わる技術情報の各種データだけを容易に同一画面上に表示できて、分析作業を能率的に行える共に分析結果の信頼性を向上させ得る技術情報分析表示装置を提供することにある。
【０００７】
【課題を解決するための手段】
かかる目的を達成すべく、本発明のうち請求項１に記載の発明は、入力手段と表示手段及び制御手段を備え、入力手段で入力された条件に基づいて制御手段によって技術情報記憶媒体からデータを抽出して図表化すると共に、その図表を表示手段の画面上に表示する技術情報分析表示装置であって、前記制御手段は、表示手段の画面上に表示された図表の所定部位を入力手段の操作で指定した際に、該指定された図表部位に係わる技術情報の各種データを当該画面上に表示させることを特徴とする。
【０００８】
このように構成することにより、制御手段は、入力手段で入力された検索式等の条件に基づいて技術情報が記憶されている技術情報記憶媒体から対象技術情報を抽出すると共に、この抽出した技術情報のリスト等を各種データとして集計し、この集計結果に基づいてマップ等の図表を作成する。そして、この図表は表示手段の画面に表示される。次に、画面に表示された図表の所定部位が入力手段で入力指定された際に、制御手段はこの図表部位に係わる各種データを図表が表示されている画面と同一画面上に表示させる。これにより、指定した図表部位の内容を表示された各種データにより即座に把握できて、図表に基づく技術情報の分析作業の能率向上と信頼性向上が図れる。
【０００９】
また、請求項２に記載の発明は、前記入力手段の操作がマウスのクリック操作で行われ、該クリック操作により当該図表部位に係わる技術情報の各種データのうち少なくとも技術情報リストが表示されることを特徴とする。このように構成することにより、入力手段の操作としてマウスのクリック操作が使用されることから、画面上に表示された図表の所定部位をクリック操作するだけで、当該図表部位に係わる各種データ、例えば番号リスト等を即座に表示できて、分析作業の一層の能率向上と装置自体の操作性の向上が図れる。
【００１０】
また、請求項３に記載の発明は、前記技術情報が特許情報であり、前記図表が特許マップであることを特徴とする。このように構成することにより、技術情報として特許情報が使用されることから、情報件数が多く内容的に多岐に亘る特許情報を例えばマトリクスマップ等により効率的に分析して、問題箇所を発見でき、またその問題箇所に該当する特許情報を直ちに見ることができる。
【００１１】
【発明の実施の形態】
以下、本発明の実施の形態を図面に基づいて詳細に説明する。
図１〜図３は、本発明に係わる技術情報分析表示装置を例えばパソコンを使用して構築した場合の一実施形態を示し、図１がそのブロック図、図２が分析表示の手順を示すフローチャート、図３が各種リストの一例を示す説明図である。
【００１２】
図１において、技術情報分析表示装置１（以下、単に分析表示装置１という）は、ＣＰＵ３、ＲＡＭ４、ＲＯＭ５及びＩ／Ｏ６等がバスライン７を介して接続された制御手段としての制御装置２を有し、この制御装置２のＩ／Ｏ６の入力側には、入力手段としてのキーボード８及びマウス９と、ＭＯドライブ等を含むＣＤ−ＲＯＭ等ドライブ１０が接続され、Ｉ／Ｏ６の出力側には、表示手段としてのＣＲＴ（液晶ディスプレイを含む）からなる表示器１１と、プリンタ１２等が接続されている。
【００１３】
そして、この分析表示装置１は、ＣＤ−ＲＯＭ等ドライブ１０で予め読み込まれて制御装置２のＲＯＭ５に記憶されているプログラムに基づいて、図２に示すような手順で動作する。すなわち、分析表示装置１は、ＣＤ−ＲＯＭ等ドライブ１０にセットされている例えば技術情報記憶媒体としてのＣＤ−ＲＯＭ特許公報が、キーボード８やマウス９で入力された検索式等の条件に基づいて検索（抽出）されると、この抽出した各種特許情報が制御装置２のＣＰＵ３に読み込まれてデータ集計（Ｋ１）され、この集計されたデータに基づいてリストが作成されて表示器１１の画面１１ａ（図１参照）に表示（Ｋ２）される。
【００１４】
このリストとしては、例えば図３に示すように、抽出した特許公報の公開番号等の▲１▼番号リスト、▲２▼目次リスト、▲３▼要約リスト、▲４▼フロントページ、▲５▼公報全文等が使用される。次に、この作成されたリストをＲＡＭ４に記憶すると共に、ＣＰＵ３によりリストに基づいて指定された図種の特許マップが作成（図表化）されて表示器１１に出力され、その画面１１ａに表示（Ｋ３）される。また必要に応じてプリンタ１２にも出力される。
【００１５】
そして、表示器１１の画面１１ａに表示された特許マップの所定部位にマウス９のポインターを移動させ当該位置でクリック（図表部位を指定）すると、図２の点線で示すように、Ｋ２で作成されたリストが読み出されて表示器１１の画面１１ａ上に表示される。この時、クリックされた図表部位に対応する特許情報のリストが特許マップと同一画面１１ａ上にウィンドウ表示され、この表示を見ることでクリックした図表部位の内容が一目で把握されることになる。
【００１６】
ここで、この分析表示装置１の具体的な動作の一例を図４〜図８に基づいて説明する。先ず、説明の便宜上、検索式で抽出された特許情報が、図４に示すように特許情報１〜１０であり、各特許情報１〜１０の各種データが、公開年度と例えば特許請求の範囲の各請求項から抽出されたキーワードであるとする。図４に示す特許情報１〜１０が抽出されると、ＣＰＵ３は図５に示すように各種キーワードの件数を集計して集計リストを作成し、この集計リストに基づき、指定された特許マップがランキングマップの場合は、図６に示す特許マップを作成して、表示器１１の画面１１ａに表示させる。
【００１７】
このランキングマップの場合は、集計件数の多いキーワードから順に例えば横方向に件数を積み重ねた棒グラフで表示され、縦軸がキーワードで横軸が件数を示している。そして、この画面１１ａに表示されたランキングマップにおいて、例えば最も件数が多いキーワードｈの特許情報の内容を知りたい場合は、図表部位Ｓである点線で示すキーワードｈの棒グラフ自体かあるいは二点鎖線で示すようにキーワードｈ自体にマウス９のポインターを移動させてクリックする。
【００１８】
画面１１ａ上の図表部位Ｓがクリックされると、制御装置２により当該部位Ｓに対応するリストが同一画面１１ａ上のリスト表示欄Ｈにウィンドウ表示される。この例では、キーワードｈが指定されたことから、キーワードｈを含む特許情報がリスト表示欄Ｈに２〜５、７〜１０として表示され、キーワードｈを含む特許情報が特許情報２〜５と特許情報７〜１０であることが分析者等に一目で把握される。また、リスト表示欄Ｈに特許情報が表示されると、この表示された特許情報の図３に示す▲１▼〜▲５▼の各リストが画面１１ａ上に例えば順番に表示される。
【００１９】
これにより、特許情報の分析者は、入力手段で検索式や特許マップの種類を入力指定するだけで、分析表示装置１の制御装置２によりデータ集計（Ｋ１）、リスト作成（Ｋ２）及び図表化（Ｋ３）が自動的に実行されて、表示器１１の画面１１ａ上に所定の特許マップが表示されるため、この特許マップを見ながら特許情報の分析作業が容易に行えることになる。その際、画面１１ａに表示された特許マップの所定の図表部位Ｓをマウス９の操作によりクリックすることで、特許マップを作成する上で基礎データとなっている特許情報リストを表示できるため、特許マップを見た分析者が問題意識や関心を持った図表部位Ｓを画面１１ａ上でクリックするだけで、その内容を的確に把握することができる。
【００２０】
特に、図表部位Ｓのクリック操作により、図３に示すような▲１▼〜▲５▼の各種リストが自動的に順番に表示されることから、分析者が改めてデータベース検索する等の細かな操作が不要となり、分析表示装置１の操作性の向上を図りつつ、特許情報の分析作業の能率を向上させることができると共に、問題意識を持った図表部位Ｓの即座の確認が簡単にできて、分析結果自体の信頼性の向上も同時に図ることが可能になる。
【００２１】
なお、前記▲１▼〜▲５▼の各種リストは、画面１１ａ上に表示されるリスト表示欄Ｈの所定の特許情報をクリックすることで画面１１上に表示されるが、▲４▼のフロントページや▲５▼の公報全文等は見易さの観点から、例えば画面１１ａの略全域に拡大された状態で表示されることが好ましい。また、ランキングマップ上のクリック位置（図表部位Ｓ）、リスト表示欄Ｈの大きさやその表示形態等は、分析者が見易い適宜の構成を採用することができ、これらのことは、後述する他の特許マップについても同様のことが言える。
【００２２】
また、図４の抽出結果や図５の集計リストに基づいて時系列マップを作成して表示する場合は、画面１１ａに図７に示す時系列マップが表示される。この時系列マップは、例えば公開年度毎の各キーワードの件数を折れ線グラフ状に表示するもので、縦軸が件数で横軸が公開年度を示している。そして、この画面１１ａに表示された時系列マップにおいて、例えば最も件数が多いキーワードｈで１９９９年に公開された特許情報の内容を知りたい場合は、点線で示す１９９９年のキーワードｈの図表部位Ｓをクリックする。
【００２３】
これにより、画面１１ａ上にリスト表示欄Ｈが開いて、１９９９年公開でキーワードｈを有する特許情報が特許情報７〜１０であることが表示される。このリスト表示欄Ｈの表示に基づいて上記ランキングマップと同様に、リストアップされた各特許情報の各種リスト▲１▼〜▲５▼が画面１１ａ上に表示されることになる。
【００２４】
さらに、図４の抽出結果や図５の集計リストに基づいてマトリクスマップを作成して表示する場合は、画面１１ａに図８に示すマクリクスマップが表示される。このマトリクスマップは、例えば複数のキーワードを有する特許情報の件数をマトリクス状に表示するもので、縦軸に例えばキーワードａ〜ｅ・・が使用され、横軸に例えばキーワードｇ〜ｍ・・が使用される。そして、この画面１１ａに表示されたマトリクスマップにおいて、例えばキーワードａとキーワードｈを有する特許情報の内容を知りたい場合は、ハッチングで示すａ×ｈの図表部位Ｓをクリックする。
【００２５】
これにより、画面１１ａ上にリスト表示欄Ｈが開いて、キーワードａとキーワードｈを共に有する特許情報が特許情報２、４、７、１０であることが表示され、このリスト表示欄Ｈの表示に基づいて上記各マップと同様に、リストアップされた各特許情報の各種リスト▲１▼〜▲５▼が画面１１ａ上に表示されることになる。
【００２６】
なお、上記実施形態においては、分析表示装置１が、図３に示すように、データ集計Ｋ１からリスト作成Ｋ２を得てマップ作成Ｋ３の手順で動作する場合について説明したが、例えば特許マップを自動的に作成する専用ソフト等と共に使用する場合には、本発明をこのソフト等と併用することで、図９に示すように、Ｋ１とＫ３で自動的に作成された特許マップの画面１１ａの所定の図表部位Ｓをクリックすることにより、図９の点線で示すように特許マップの作成時に使用されたリストを読み出して同一画面上に表示（Ｋ２）させる手順となるように構成することもできる。
【００２７】
また、上記実施形態においては、技術情報のデータとして、特許情報のキーワードを例にして説明したが、特許情報の他のデータを使用することもできるし、特許マップとしてランキングマップ、時系列マップ及びマトリクスマップ以外の他の特許マップにも適用することができる。さらに、本発明に係わる技術情報は、特許情報に限らず、科学技術文献、新聞、専門書等の各種技術情報にも適用することができる。
【００２８】
【発明の効果】
以上詳述したように、請求項１に記載の発明によれば、制御手段によって、表示手段の画面に表示された図表の所定部位が入力手段で入力指定された際に、当該図表部位に係わる各種データが画面上に表示されるため、問題点を発見した際に、指定した図表部位に係わる各種データの内容を即座に把握できて、図表に基づく技術情報の分析作業の能率を向上させることができると共に、分析結果の信頼性の向上を図ることもできる。
【００２９】
また、請求項２に記載に発明によれば、請求項１に記載の発明の効果に加え、入力手段の操作がマウスのクリック操作で行われるため、画面上に表示された図表の所定部位をクリック操作するだけで、当該図表部位に係わる各種データの例えば番号リスト等のリストを即座に表示できて、技術情報の分析作業の一層の能率向上と分析表示装置自体の操作性の向上を図ることができる。
【００３０】
また、請求項３に記載の発明によれば、請求項１または２に記載の発明の効果に加え、技術情報が特許情報で図表が特許マップであるため、情報件数が多く内容的に多岐に亘る特許情報を特許マップを使用して、問題箇所、注目箇所等を発見した際に、その個所に該当する特許情報の内容を即座に把握できるので、特許情報を効率的に分析すること等ができる。
【図面の簡単な説明】
【図１】本発明に係わる技術情報分析表示装置の一例を示すブロック図
【図２】同その動作手順の一例を示すフローチャート
【図３】同リストの説明図
【図４】同具体的動作の一例を示すための特許情報の抽出状態の説明図
【図５】同その集計状態の説明図
【図６】同作成されたランキングマップの説明図
【図７】同作成された時系列マップの説明図
【図８】同作成されたマトリクスマップの説明図
【図９】同分析表示装置の他の動作手順を示すフローチャート
【符号の説明】
１：技術情報分析表示装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：表示器
１１ａ：画面
Ｈ：リスト表示欄
Ｓ：図表部位
【図１】
2004192450.tif 000003
【図２】
2004192450.tif 000004
【図３】
2004192450.tif 000005
【図４】
2004192450.tif 000006
【図５】
2004192450.tif 000007
【図６】
2004192450.tif 000008
【図７】
2004192450.tif 000009
【図８】
2004192450.tif 000010
【図９】
2004192450.tif 000011